(57)【要約】【課題】換気通路内の微粉のファンへの付着を少なくし、ファンロックまでの時間を長くできる飲料提供装置を提供することを目的とする。【解決手段】粉末原料と湯をミキシング通路３１に受入れ、粉末原料と湯とを混合する。湯から発生した湯気や粉末原料の微粉を換気通路３３内のファン３４により吸引し排気させる。ファン３３により吸引される粉末原料の微粉の大部分は換気通路のファン３３より前方の上流側に設けた第１のフィルタ３５の金網部分に付着される。さらに、第１のフィルタを通過した微粉は下流側に設けたスポンジ状の第２のフィルタに付着され、ファンまでに到達される微粉は極力少なくなりファンロックまでの時間が長くなる【選択図】          図１
2004171077.tif 000002
【特許請求の範囲】
【請求項１】
粉末原料を収容する原料容器と、この原料容器から供給される粉末原料を導く原料シュート部と、湯を供給する湯供給部と、粉末原料と湯を混合するとともに、この混合液を底部に設けた注出口から注出するミキシング通路と、このミキシング通路に連通し湯気をファンにより排気させる換気通路とを備え、この換気通路のファンより前方の上流側に金網からなる第１のフィルタと、下流側にスポンジ状の第２のフィルタとを設けたことを特徴とする飲料提供装置。
【請求項２】
前記第１のフィルタは、短冊状に形成されたことを特徴とする請求項１記載の飲料提供装置。
【発明の詳細な説明】
【０００１】
本発明は、粉末原料と湯とを混合して調整した飲料を提供する飲料提供装置に関する。
【０００２】
【従来技術】
従来、原料容器から原料シュートに導かれて供給された粉末原料と湯供給部から供給された湯とをミキシング通路内で混合して調整された飲料を提供する飲料提供装置にあっては、湯供給部から供給された湯から発生する湯気が原料シュート内に上昇し、原料シュート内を通過する粉末原料に作用し、粉末原料を湯気で固まらせ、さらには、原料シュート内を粉末原料で詰まらせてしまう問題があった。そこで、この湯気を除去するためにミキシング通路に連通された換気通路内にファンを設け、このファンにより原料シュート内に上昇する湯気を吸引して機体外に排気するようにしている。しかし、この湯気の排気に伴なって粉末原料の微粉も同時に吸引してしまい、この微粉がファンに付着してファンをロックしてしまう問題を有している。
【０００３】
そこで、原料シュート内に上昇する湯気と粉末原料の微粉とを除去するものとして例えば、特開平８−２７３０４９号公報が存在する。この特開平８−２７３０４９号公報に記載されている微粉や湯気を除去するための湯気除去装置は、図４に記載されているように、前端部が吸引ホース１４に連通され前後に延びる除去ケース１５内に、除去フィルタ１６およびファン装置１７を左右に配設して構成されている。
【０００４】
【発明が解決しようとする課題】
しかし、上述した特開平８−２７３０４９号公報に示される湯気除去装置は、ファン装置により引き込まれた粉末原料の微粉が除去フィルタにより大部分は取り除かれるが一部の微粉がファン装置まで到達し、短時間でファン装置がロック状態に至ってしまう問題がある。
【０００５】
本発明は、このような点に鑑みなされたもので、湯気を換気する換気通路内の微粉のファンへの付着を少なくし、ファンロックまでの時間を長くできる飲料提供装置を提供することを目的とする。
【０００６】
【課題を解決するための手段】
請求項１記載の飲料提供装置は、粉末原料を収容する原料容器と、この原料容器から供給される粉末原料を導く原料シュートと、湯を供給する湯供給部と、粉末原料と湯を混合するとともに、この混合液を底部に設けた注出口から注出するミキシング通路と、このミキシング通路に連通し湯気をファンにより排気させる換気通路とを備え、この換気通路のファンより前方の上流側に金網からなる第１のフィルタと、下流側にスポンジ状の第２のフィルタとを設けたものである。
【０００７】
そして、この構成により、ファンにより吸引される粉末原料の微粉の大部分が換気通路のファンより前方の上流側に設けた第１のフィルタの金網部分に付着され、さらに、第１のフィルタを通過した微粉は下流側に設けたスポンジ状の第２のフィルタに付着され、ファンまでに到達される微粉は極力少なくなりファンロックまでの時間が長くなる。
【０００８】
請求項２記載の飲料提供装置は、請求項１記載の飲料提供装置において、第１のフィルタは、短冊状に形成されているものである。
【０００９】
そして、この構成により、粉末原料の微粉の付着面積が多くなる。
【００１０】
【発明の実施の形態】
以下、本発明の一実施の形態を図面を参照して説明する。
【００１１】
【実施例】
図１乃至図３に示されるように、飲料提供装置は、機体を構成する飲料提供装置１１を有し、この飲料提供装置１１には原料供給部装着部１２が設けられ、この原料供給部装着部１２上に複数の原料容器１３が配設されている。原料供給部装着部１２の下側にロート装着体１４が配設され、このロート装着体１４に対して混合容器１５が着脱可能に取り付けられている。混合容器１５の底部に飲料を注出する注出部１６が配設され、この注出部１６に飲料を入れるカツプ１７が配置されている。
【００１２】
原料容器１３は、飲料用のコーヒー、お茶などの粉末状の原料を夫々収容し、この原料容器１３の下部前面に原料を送り出す原料送出口部１８と、原料容器１３の内底部に原料送出口部１８に粉末原料を送り込むスクリュー１９が配設されている。
【００１３】
原料供給部装着部１２には、図示しないが、原料容器１３を保持する保持手段と、スクリュー１９の継手と連結されてスクリュー１９を回転駆動するモータ２０が配設されている。
【００１４】
また、ロート装着体１４は、飲料提供装置本体１１に固定的に取り付けられるもので、例えば合成樹脂製で一体形成されており、下部には混合容器１５が前方から挿脱自在に装着される混合容器装着部２５が形成されている。この混合容器装着部２５は、混合容器１５の上部位置を規制する上壁部２２を有している。
【００１５】
上壁部２２には液体供給部２３の一部を構成する注液ノズル２４が一体に形成されている。液体供給部２３は、注液ノズル２４に対して湯を供給可能とし、図示しない湯供給のために湯を沸き上げる湯水タンクなどを備えている。
【００１６】
また、混合容器１５は、ロート２５と、このロート２５の上面を覆って被着される合成樹脂製のロートカバー２６、このロートカバー２６の前部側に被着される原料シュートカバー２７、この原料シュートカバー２７により形成される原料シュート部２８を有している。
【００１７】
また、ロートカバー２７は、後端側から前端側に向けて下降傾斜される混合液通路面２９が形成され、この混合液通路面２９の前端側に排出口３０が形成されている。この混合液通路面２９の底面側とロート２５との間にはミキシング通路３１が形成され、このミキシング通路３１の中間部には迂回板３２が設けられミキシング通路３１を長く形成するようになっている。
【００１８】
また、ミキシング通路３１の後端側にはミキシング通路３１に連通される換気通路３３が設けられ、この換気通路３３内にはファン３４と、このファン３４の前方の上流側には、ロート２５に対し図３に示されるように着脱自在に設けられた２０メッシュ〜８０メッシュ程度のステンレス製の金網からなるコ字状の第１のフィルタ３５と、その第１のフィルタ３５の下流側にスボンジ状の第２のフィルタ３６が配置されている。
【００１９】
次に、本実施の形態の作用を説明する。
【００２０】
液体供給部２３から湯の供給が開始され、この湯が注液ノズル２４を通じてロートカバー２６の混合液通路面２９に供給される。混合液通路面２９に供給された湯は、混合液通路面２９の傾斜によって前方の排出口３３０へ向けて流下される。一方原料容器１３内に原料供給動作に待機された粉末状のお茶またはコーヒー等の原料は、液体供給部２３ら所定時間後、原料容器１３から原料の供給が開始され、この原料が原料送出口部１８から原料シュート部２８内を通じてロートカバー２６の混合液通路面２９に落下される。混合液通路面２６に落下してくる粉末原料と注液ノズル２４を通じて流下してくる湯とが一緒になり、これら粉末原料と湯との混合液が、混合されながら迂回板３２の傾斜に沿ってミキシング通路３１内を流下し、注出口１６からカップ１７内に注出される。
【００２１】
この混合液の注出の際、液体供給部２３から供給される湯から湯気が発生される。この発生した湯気は換気通路３３内に設けられたファン３４により吸引され飲料提供装置１１の機体外に排気される。また、この湯気の排気に伴なって粉末原料の微分がファン３４により吸引される。しかし、この粉末原料の微分は金網からなる第１のフィルタ３５の金網部分に付着される。さらに、第１のフィルタを通過した微粉は下流側に設けたスポンジ状の第２のフィルタに付着され、ファンまでに到達される微粉は極力少なくなりファンロックまでの時間が長くなる
【００２２】
次に、本発明の第２の実施形態を図４を参照して説明する。
【００２３】
第１のフィルタ３５は、短冊状に形成され、粉末原料の微分の付着面積が多くなり、第１の実施の形態のフィルタよりもさらに粉末原料の微分が多く付着される。
【００２４】
【発明の効果】
請求項１記載の飲料提供装置によれば、ファンにより吸引される粉末原料の微粉の大部分が換気通路のファンより前方の上流側に設けた第１のフィルタの金網部分に付着され、さらに、第１のフィルタを通過した微粉は下流側に設けたスポンジ状の第２のフィルタに付着され、ファンまでに到達される微粉は極力少なくなりファンロックまでの時間が長くなる。
【００２５】
請求項２記載の飲料提供装置によれば、粉末原料の微分の付着面積が多くなり、さらに粉末原料の微分が多く付着される。
【図面の簡単な説明】
【図１】本発明の一実施形態を示す飲料提供装置の側面から見る断面図である。
【図２】同上の飲料提供装置の正面から見る断面図である。
【図３】同上の飲料提供装置の、第１のフィルタ周りを説明する分解斜視図である。
【図４】同上の飲料提供装置の、第１のフィルタを説明する斜視図である。
【符号の説明】
１１    飲料提供装置本体
１３    原料容器
１４    ロート装着体
１６    注出口
２３    液体供給部
２４    注液ノズル
２５    ロート
２６    ロートカバー
２７    原料シュートカバー
２８    原料シュート部
２９    混合液通路面
３０    排出口
３１    ミキシング通路
３２    迂回板
３３    換気通路
３４    ファン
３５    第１のフィルタ
３６    第２のフィルタ
【図１】
2004171077.tif 000003
【図２】
2004171077.tif 000004
【図３】
2004171077.tif 000005
【図４】
2004171077.tif 000006